(57)【特許請求の範囲】
【請求項１】
ロータリ耕耘装置に播種装置を着脱可能に一体的に設けた直播機において、ロータリ耕耘装置の両側に後部に鎮圧ローラを支持したローラフレームを前後方向に配置し、該ローラフレームをパイプ状に構成した主フレームと該主フレームに対して摺動可能に取り付けた摺動フレームより構成し、前記鎮圧ローラを前後位置調整可能に構成したことを特徴とする直播機。
【請求項２】
前記ローラフレームをロータリ耕耘装置に対して上下回動可能に支持し、該ローラフレームの角度を調節可能としたことを特徴とする請求項１に記載の直播機。
【発明の詳細な説明】
【０００１】
【発明の属する技術分野】
本発明は、ロータリ耕耘装置と播種装置とを一体的に搭載した直播機において、ロータリ耕耘作業時と播種作業時で前後長を調整できるようにする技術に関する。
【０００２】
【従来の技術】
従来から、トラクタの後部に、ロータリ耕耘装置と施肥装置と播種装置とからなる直播機を装着して、種子を圃場に耕耘しながら播種することが行われている。該直播機は、ロータリ耕耘装置により圃場を必要な幅だけ耕耘しながら、その後部において、播種装置により播種溝を形成してその溝に種子を落下させて播種し、その側方には、施肥装置により肥料を落下させて、耕耘と播種と施肥を同時に行うようにしていた。
【０００３】
【発明が解決しようとする課題】
前述のように、直播機において、播種作業をしやすくするために、播種作業と同時に耕耘作業が行われるが、未耕耘の場合や荒起こし等の場合には砕土が不十分な場合が多いために、播種作業を行う前に前工程として耕起作業を行うことがある。この場合、該耕起作業は耕起に要する馬力をできるだけ少なくし、また、均一な深さに耕起するために、直播機の施肥装置と播種装置を取り外して、ロータリ耕耘装置の接地輪と鎮圧ローラを使用して耕耘深さを安定させて、ロータリ耕耘装置のみ装着した状態で耕耘作業を行うようにしている。
しかし、施肥装置と播種装置を取り外した状態では、これらを設置していた空間がそのままであるため鎮圧輪とロータリ耕耘装置との間に無駄なスペースができてしまい、通常のロータリ耕耘装置で耕耘する場合に比べて全長が長くなり、広い旋回用のスペースが必要となり、枕地の処理や圃場の隅での鎮圧作業を十分に行うことができないという不具合があった。
【０００４】
【課題を解決するための手段】
本発明の解決しようとする課題は以上の如くであり、次にこの課題を解決するための手段を説明する。
【０００５】
即ち、請求項１においては、ロータリ耕耘装置に播種装置を着脱可能に一体的に設けた直播機において、ロータリ耕耘装置の両側に後部に鎮圧ローラを支持したローラフレームを前後方向に配置し、該ローラフレームをパイプ状に構成した主フレームと該主フレームに対して摺動可能に取り付けた摺動フレームより構成し、前記鎮圧ローラを前後位置調整可能に構成したものである。
【０００６】
請求項２においては、前記ローラフレームをロータリ耕耘装置に対して上下回動可能に支持し、該ローラフレームの角度を調節可能としたものである。
【０００７】
【発明の実施の形態】
次に、発明の実施の形態を説明する。
図１は本発明の直播機の側面図、図２はローラアームを前方へスライドさせた状態を示す直播機の側面図である。
【０００８】
図１において、本発明の直播機の全体構成から説明する。
直播機１は、ロータリ耕耘装置２、施肥装置３、播種装置４、鎮圧ローラ５から構成され、該ロータリ耕耘装置２の前部がトラクタの後部に設けられている作業機装着装置のトップリンク６とロアリンク７・７の後部に、ヒッチ８を介して装着されて、直播機１がトラクタに牽引されながら耕耘・施肥・播種作業が同時に行えるようにしている。
【０００９】
前記ロータリ耕耘装置２のギヤケースより側方にビームが左右両側に突設され、該ビームより前方に突出した支持フレーム３２に前記ロアリンク７・７の後端が回転自在に装着され、該支持フレーム３２の両側に支持アーム９・９が取り付けられ、該支持アーム９に支持杆９ｂを上下位置調整可能に取り付けており、該支持杆９ｂの下端に接地輪１０を回転自在に軸支している。該支持杆９ｂには上下方向に一定間隔をあけて複数個の調節孔９ａ・９ａ・・・が開口されており、該調節孔９ａに調節ピン１１を貫通挿入して支持杆９ｂを所望の高さに固定し、接地輪１０によりロータリ耕耘装置２の耕耘深さを調節できるようにしている。また、ロータリ耕耘装置２のギヤケース上面より支持マスト３３が前上方へ突設され、該支持マスト３３の前端に前記ヒッチ８が枢結されている。
【００１０】
そして、前記ロータリ耕耘装置２の後上方に施肥装置３が、後方に播種装置４がそれぞれ配置されている。前記ロータリ耕耘装置２のビームより後方に支持ステー３４・３４が突設され、該支持ステー３４・３４後端にツールバー２３が横設され、該ツールバー２３の両端に取付プレート２２・２２が固設されている。該取付プレート２２・２２に支持杆２１・２１が上下方向に固設され、該支持杆２１の下端に支持ピン３９・３９を左右方向に突出し、該支持ピン３９・３９に固定プレート２０・２０を枢支している。この支持ピン３９・３９が後述するローラフレーム１５の上下回動支点となる。以後左側について説明する。
【００１１】
該固定プレート２０前後略水平方向にローラフレーム１５が固定されている。該ローラフレーム１５はパイプ状の主フレーム１５ａと該主フレーム１５ａ内を貫通する摺動フレーム１５ｂとからなる二重構造で、摺動フレーム１５ｂが主フレーム１５ａ内を前後方向にスライド可能に構成されている。但し、二重構造に限定するものではなく、主フレームに対して摺動フレームが摺動して位置調整が可能な構成であればプレート状であっても良く限定するものではない。図１は摺動フレーム１５ｂを後方にスライドさせた状態を示しており、図２は前方へスライドさせた状態を示している。該主フレーム１５ａの後部に設けられた固定具１６ａ・１６ａ・１６ｂによって摺動フレーム１５ｂは固定され、本実施例では該固定具１６ａはボルトによって構成され、１６ｂはピンによって構成されているが限定するものではない。前記摺動フレーム１５ｂの後端には支持フレーム１７が架設され、該支持フレーム１７の両端に取付フレーム１８・１８が垂設され、該取付フレーム１８・１８の下部に鎮圧ローラ５の回転軸１９が回転自在に軸支されている。
このようにして、鎮圧ローラ５はロータリ耕耘装置２に対して支持ピン３９を中心に上下回動可能に構成され、摺動フレーム１５ｂが主フレーム１５ａに対して前後に摺動可能とされているので、鎮圧ローラ５も前後に位置調整可能となるのである。
【００１２】
次に、施肥装置３について説明する。
前記ツールバー２３の両側上に支持プレート２４・２４が前後水平方向に固定され、該支持プレート２４・２４の前端に取付柱２５・２５を立設し、該取付柱２５・２５に施肥部支持バー２６が横設され、該施肥部支持バー２６に肥料繰出装置２７・２７・・・が並列に固設されている。繰出装置２７・２７・・・は繰出ロールを収納した略同一の構造であり条数分並設され、夫々の繰出装置２７・２７・・・は左右方向に延出した繰出駆動軸２８を貫通して繰出ロールを回転駆動して、肥料を繰り出すように構成されている。
【００１３】
前記繰出装置２７・２７・・・上には夫々ホッパー２９・２９・・・が戴置され、繰出装置２７・２７・・・の下部には施肥ホース３０・３０・・・が連通されている。また、前記支持プレート２４・２４の前後中途部に取付柱３５・３５垂設し、該取付柱３５・３５下端に作溝部取付バー３６が横設され、該作溝部取付バー３６に、平行リンク、支持フレーム３７・３７・・・を介して円盤状の施肥作溝ディスク３８・３８・・・が回転自在に条数分配設されている。該作溝ディスク３８の側部に施肥ホース３０を延設して、作溝ディスク３８で形成した溝に肥料を落下させるようにしている。但し、施肥装置３は装着しない構成とすることもできる。
【００１４】
次に播種装置４について説明する。
前記支持プレート２４の後端に支持柱４０・４０を垂設し、該支持柱４０・４０下部に支持フレーム４１・４１前端を上下高さ調節可能に固定し、該支持フレーム４１・４１後部に播種部取付バー４２が横設されている。該播種部取付バー４２に種子繰出装置４３・４３・・・が並列に条数分固設され、繰出装置４３・４３・・・は繰出ロールを収納した略同一の構造であり、夫々の繰出装置４３・４３・・・は左右方向に延出した繰出駆動軸４４に貫通され、繰出駆動軸４４の回動によって繰出ロールを回転駆動させて、種子を繰り出すように構成されている。
【００１５】
そして、夫々の繰出装置４３・４３・・・上にはホッパー４５・４５・・・が戴置され、繰出装置４３・４３・・・の下部より平行リンク４６・４７を介してガイドホース４８・４８・・・と播種作溝ディスク４９・４９・・・と覆土板５１が支持されている。該平行リンク４６・４７の対角線上には付勢バネ５０を配置して、播種作溝ディスク４９の重量とバランスさせている。このように構成することによって、播種作溝ディスク４９とガイドホース４８が平行リンク４６・４７により平行に上下動して、地表面の凹凸に追随できるようにしている。
【００１６】
前記播種作溝ディスク４９は左右のディスク板を平面視Ｖ字状に配置したものであり、圃場に播種溝を形成するように構成されている。該左右のディスク板の間にガイドホース４８を挿入している。このようにして、播種作溝ディスク４９により播種溝を形成し、この播種溝に繰出装置４３から繰り出した種子をガイドホース４８を介して落下させ、その後方に設けられた覆土板５１により土が被せられ、覆土板５１の後方に配設される鎮圧ローラ５によって畝表面が均平されるように構成されている。
【００１７】
次に直播機１の駆動構成について説明する。
前記鎮圧ローラ５が駆動ローラとなっており、前記回転軸１９の左右一側よりチェーンケース５３内のスプロケット、チェーンを介して中間軸５２に動力が伝えられ、該中間軸５２よりチェーンケース５４内のスプロケット、チェーンを介して播種繰出装置４３の駆動軸４４に動力が伝えられる。前記チェーンケース５３は支持体５９を介してツールバー４２に固定され、チェーンケース５３は中間軸５２に回転自在に支持されている。
【００１８】
そして、前記駆動軸４４から肥料繰出装置２７を同時に駆動できるように、駆動軸４４にチェーンケース５６内のスプロケット、チェーンを介して中間軸５５に動力を伝え、該中間軸５５よりチェーンケース５７内のスプロケット、チェーンを介して駆動軸２８に動力を伝えるようにしている。
【００１９】
このように構成することによって、直播機１がトラクタに牽引されると、鎮圧ローラ５が回転され、該鎮圧ローラ５の回転によってチェーンケース５３・５４内のスプロケット、チェーンを介して播種繰出装置４３の駆動軸４４が回動され、該駆動軸４４の回動により、播種繰出装置４３の繰出ロールが回転され、ホッパー４５内の種子が繰り出されてガイドホース４８から作溝ディスク４９に導かれて落下する。
【００２０】
そして、前記駆動軸４４の回転によってチェーンケース５６・５７内のスプロケット、チェーンを介して施肥繰出装置２７の駆動軸２８が回動され、該駆動軸２８の回動により、施肥繰出装置２７の繰出ロールが回転され、ホッパー２９内の肥料が繰り出されて施肥ホース３０から作溝ディスク３８に導かれて散布される。
【００２１】
また、耕耘作業を行う際には、図２に示す如く、施肥装置３と播種装置４が直播機１から取り外される。つまり、ツールバー２３より支持プレート２４・２４を取り外し、かつ、回転軸１９よりチェーンケース５３を取り外すことによって、簡単に施肥装置３と播種装置４を取り除くことができるのである。
そして、前記ローラフレーム１５を構成する主フレーム１５ａ後部に設けられた固定具１６ａ・１６ａを弛めて、固定具１６ｂを外すことにより、摺動フレーム１５ｂを主フレーム１５ａ内で前方へスライドさせて、鎮圧ローラ５を前方へ移動してロータリ耕耘装置２側に近接させて固定具１６ａ・１６ａ・１６ｂで固定させる。このように構成することによって、直播機の全長を短くすることができるので、枕地の処理や圃場の隅での鎮圧作業を十分に行うことができる。
【００２２】
また、前記主フレーム１５ａ・１５ａ前部に固定プレート６０・６０を固設し、前記支持杆２１・２１の上部には固定プレート６１・６１を固設し、該固定プレート６０と固定プレート６１との間に長さ調整具としてターンバックル６２を介装する。これによって、ターンバックル６２の中央体６２ａを回転させることにより、中央体６２ａの両側のネジ体６２ｂ・６２ｂを接近させたり、離間させたりして、ローラフレーム１５の角度を変化させて鎮圧ローラ５の高さを変化させ、耕耘深さを調整することができるのである。なお、長さ調整具はターンバックルに限定するものではない。
また、ターンバックル６２の回動により、施肥装置３と播種装置４の装着、非装着に関わらず、耕耘深さを調整でき、前記接地輪１０とによって、更に正確に調整できる。
【００２３】
【発明の効果】
本発明は、以上のように構成したので、以下に示すような効果を奏する。
【００２４】
即ち、請求項１に示す如く、ロータリ耕耘装置に播種装置を着脱可能に一体的に設けた直播機において、ロータリ耕耘装置の両側に後部に鎮圧ローラを支持したローラフレームを前後方向に配置し、該ローラフレームをパイプ状に構成した主フレームと該主フレームに対して摺動可能に取り付けた摺動フレームより構成し、前記鎮圧ローラを前後位置調整可能に構成したので、直播機から播種装置を取り外して耕耘作業を行う際には、鎮圧ローラを前方向にスライドできるようになり、直播機の全長を短くすることができ、旋回半径を小さくすることができて、枕地の処理や圃場の隅での鎮圧作業を十分に行うことができる。
【００２５】
請求項２に示す如く、前記ローラフレームをロータリ耕耘装置に対して上下回動可能に支持し、該ローラフレームの角度を調節可能としたので、播種作業時の播種深さを調節することができるとともに、播種機を外した耕耘作業時には耕耘深さも調節することができる。
【図面の簡単な説明】
【図１】本発明の直播機の側面図。
【図２】ローラフレームを前方へスライドさせた状態を示す直播機の側面図。
【符号の説明】
１  直播機
２  ロータリ耕耘装置
３  施肥装置
４  播種装置
５  鎮圧輪
１５  ローラフレーム
【図１】
0004612964.tif 000002
【図２】
0004612964.tif 000003